(57)【要約】【課題】空間の乱雑さを減らし、掃除、整理し易いデスクトップ型コンピュータを提供する。【解決手段】長手方向の一側面にパネルを含んでなるケースを具えてなり、該パネルは、液晶パネルを嵌設して位置決めし、該液晶パネルの周囲のパネルに１以上のスピーカーと、１以上の光ディスク機と、１以上のフロッピー（登録商標）ディスク機と、１以上のモデム用のインタフェイスと、スイッチ用のインタフェイスとを設けてなり、該ケースは内部にフレームを形成し、該フレームは、パネルに設けるそれぞれの部材に対応する位置に開口を形成する以外、ホストと、電源供給機と、少なくとも１以上のファンとを位置決めする開口を形成し、ケースの長手方向のもう一方の側面と、長手方向に垂直な側面にはそれぞれ１以上の入出力用のインタフェイスを具えてなる。【選択図】図１
0003122059.tif 000002
【実用新案登録請求の範囲】
【請求項１】
長手方向の一側面にパネルを含んでなるケースを具えてなり、
該パネルは、液晶パネルを嵌設して位置決めし、該液晶パネルの周囲のパネルに１以上のスピーカーと、１以上の光ディスク機と、１以上のフロッピー（登録商標）ディスク機と、１以上のモデム用のインタフェイスと、スイッチ用のインタフェイスとを設けてなり、該ケースは内部にフレームを形成し、該フレームは、パネルに設けるそれぞれの部材に対応する位置に開口を形成する以外、ホストと、電源供給機と、少なくとも１以上のファンとを位置決めする開口を形成し、ケースの長手方向のもう一方の側面と、長手方向に垂直な側面にはそれぞれ１以上の入出力用のインタフェイスを具えてなることを特徴とするデスクトップ型コンピュータ。
【請求項２】
前記電源供給機が設けられたフレームの長手方向に垂直な側面に対向する側面には、電源供給機に対応する位置にファンを設けることを特徴とする請求項１に記載のデスクトップ型コンピュータ。
【請求項３】
前記電源供給機が設けられたフレームの長手方向に垂直な側面には、１組のファンが設けられ、対向する側面には送風口が設けられ、該送風口にはネットが設けられることを特徴とする請求項１に記載のデスクトップ型コンピュータ。
【請求項４】
前記ケースの長手方向に垂直な側面には外側に突出したマウスの収納ポケットが設けられることを特徴とする請求項１に記載のデスクトップ型コンピュータ。
【請求項５】
前記ケースは、長手方向側面の液晶モニタの下方にキーボードを設ける開口を形成することを特徴とする請求項１に記載のデスクトップ型コンピュータ。
【請求項６】
前記ケースのフレームは底面に隣接してキーボード用の引き台を滑動自在に設けてなり、引き台を液晶モニタの方向に引き出すことができることを特徴とする請求項１に記載のデスクトップ型コンピュータ。
【考案の詳細な説明】
【技術分野】
【０００１】
この考案は、デスクトップ型コンピュータに関し、特にホスト、もしくはモニタなどを設けたデスクトップ型コンピュータに関する。
【背景技術】
【０００２】
現在のデスクトップ型コンピュータは、ホストと、液晶モニタと、必ず設けられるマウス、キーボード、スピーカー、モデム、プリンタなどの周辺機器を含んでなる。これらの器材は、いずれもモジュール化されたコンセントを差込んで接続して使用する。
【０００３】
しかしながら、前述の器材のコード類は、複数に達するためコンピュータを設けるコンピュータデスク、机、事務机の使用空間を乱雑にする。特にコンピュータの背面にはホストの電源コード、モニタの電源コード、スピーカーの電源コード、モデムの電源コード、プリンタの電源コード、モニタとホストの接続コード、マウスとホストの接続コード、キーボードとＨ所ストの接続コード、スピーカーとホストの接続コード、モデムとホストの接続コード、プリンタとホストの接続コード、また電話機、もしくはその他周辺設備を加えている場合にはそれらとホストの接続コードなど１０本近くのコードが連接される。このため、正面からみると整頓されているが、背面ではコードが散乱していて見るに忍びない状況を形成する。また、長期的に使用している場合には塵が積もり、掃除をすることが難しく、コンピュータに詳しくない人は、複雑に絡み合ったコードを触ることができないため、利用者の健康や、環境衛生にも影響を与える。よって、複雑に絡み合ったコードを整理し、上述の雑多な状況を減らして、快適に使用できるようにための需要に応じた製品を開発する必要がある。
【考案の開示】
【考案が解決しようとする課題】
【０００４】
この考案は、空間の乱雑さを減らし、掃除、整理し易いデスクトップ型コンピュータを提供することを課題とする。
【課題を解決するための手段】
【０００５】
そこで、本考案の考案者は従来の技術に見られる欠点に鑑みて鋭意研究を重ねた結果、長手方向の一側面にパネルを含んでなるケースを具えてなり、該パネルは、液晶パネルを嵌設して位置決めし、該液晶パネルの周囲のパネルに１以上のスピーカーと、１以上の光ディスク機と、１以上のフロッピー（登録商標）ディスク機と、１以上のモデム用のインタフェイスと、スイッチ用のインタフェイスとを設けてなり、該ケースは内部にフレームを形成し、該フレームは、パネルに設けるそれぞれの部材に対応する位置に開口を形成する以外、ホストと、電源供給機と、少なくとも１以上のファンとを位置決めする開口を形成し、ケースの長手方向のもう一方の側面と、長手方向に垂直な側面にはそれぞれ１以上の入出力用のインタフェイスを具えてなる。
【０００６】
以下、この考案について具体的に説明する。
請求項１に記載のデスクトップ型コンピュータは、長手方向の一側面にパネルを含んでなるケースを具えてなり、該パネルは、液晶パネルを嵌設して位置決めし、該液晶パネルの周囲のパネルに１以上のスピーカーと、１以上の光ディスク機と、１以上のフロッピー（登録商標）ディスク機と、１以上のモデム用のインタフェイスと、スイッチ用のインタフェイスとを設けてなり、該ケースは内部にフレームを形成し、該フレームは、パネルに設けるそれぞれの部材に対応する位置に開口を形成する以外、ホストと、電源供給機と、少なくとも１以上のファンとを位置決めする開口を形成し、ケースの長手方向のもう一方の側面と、長手方向に垂直な側面にはそれぞれ１以上の入出力用のインタフェイスを具えてなる。
【０００７】
請求項２に記載のデスクトップ型コンピュータは、請求項１における電源供給機が設けられたフレームの長手方向に垂直な側面に対向する側面には、電源供給機に対応する位置にファンを設ける。
【０００８】
請求項３に記載のデスクトップ型コンピュータは、請求項１における電源供給機が設けられたフレームの長手方向に垂直な側面には、１組のファンが設けられ、対向する側面には送風口が設けられ、該送風口にはネットが設けられる。
【０００９】
請求項４に記載のデスクトップ型コンピュータは、請求項１におけるケースの長手方向に垂直な側面には外側に突出したマウスの収納ポケットが設けられる。
【００１０】
請求項５に記載のデスクトップ型コンピュータは、請求項１におけるケースが、長手方向側面の液晶モニタの下方にキーボードを設ける開口を形成する。
【００１１】
請求項６に記載のデスクトップ型コンピュータは、請求項１におけるケースのフレームが底面に隣接してキーボード用の引き台を滑動自在に設けてなり、引き台を液晶モニタの方向に引き出すことができる。
【考案の効果】
【００１２】
この考案のデスクトップ型コンピュータは、空間の乱雑さを減らし、掃除、整理がし易いため、美観を高め、実用的で、卓上にさらに広い作業空間を提供する効果を有する。
【考案を実施するための最良の形態】
【００１３】
この考案は、空間の乱雑さを減らし、掃除、整理し易いデスクトップ型コンピュータを提供するものであって、長手方向の一側面にパネルを含んでなるケースを具えてなり、該パネルは、液晶パネルを嵌設して位置決めし、該液晶パネルの周囲のパネルに１以上のスピーカーと、１以上の光ディスク機と、１以上のフロッピー（登録商標）ディスク機と、１以上のモデム用のインタフェイスと、スイッチ用のインタフェイスとを設けてなり、該ケースは内部にフレームを形成し、該フレームは、パネルに設けるそれぞれの部材に対応する位置に開口を形成する以外、ホストと、電源供給機と、少なくとも１以上のファンとを位置決めする開口を形成し、ケースの長手方向のもう一方の側面と、長手方向に垂直な側面にはそれぞれ１以上の入出力用のインタフェイスを具えてなる。
かかるデスクトップ型コンピュータの構造と特徴を詳述するために具体的な実施例を挙げ、図示を参照にして以下に説明する。
【実施例】
【００１４】
図１から６に、この考案の実施例を開示する。図面によれば、この考案のデスクトップ型コンピュータは、ケース１を具えてなる。該ケース１は、長手方向の一側面１０にパネル１１を設けてなる。該パネル１１は液晶モニタ２と、該液晶モニタ２の周囲のパネル１１に１以上のスピーカー１２、１３と、１以上の光ディスク機１４、１５と、１以上のフロッピー（登録商標）ディスク機１６と、１以上のモデム用インターフェイス１７と、スイッチ用インタフェイス１８とを嵌設する。また、該ケース１は、内部にフレーム３を形成する。
【００１５】
該フレーム３は、ケース１のパネル１１上に設けるそれぞれの部材の位置に対応して開口が形成されている以外に、ホスト３１と、電源供給機３２と、少なくとも１以上のファン３３、３４、３５と、少なくとも１以上のハードディスク３６、３７、３８、３９とを位置決めする開口を形成する。また、該フレーム３の長手方向に垂直な側面３０１には電源供給機３２が設けられ、対向する側面３０２には電源供給機３２に対応する位置にファン３３を設ける。該電源供給機３２が設けられたフレーム３の長手方向に垂直な側面３０１には１組のファン３４、３５が設けられるとともに、対向する側面３０２に送風口３０４が設けられ、該送風口３０４にはネット３０５が設けられる。
【００１６】
該ケース１の長手方向のもう一方の側面３０３には複数の入出力コネクタ用インタフェイス４０が設けられ、ケース１の長手方向に垂直な側面３０１、３０２には、入出力のコネクタ用インタフェイス４１、４２が設けられる。また、該ケース１の長手方向に垂直な側面３０１には、マウス５を収納するために供する外側に突出したマウス収納ポケット５０が設けられる。さらに、該ケース１は液晶モニタ２の下方に開口１９を形成し、該開口１９はキーボード６を収納するために供する。図面によれば、ケース１の内部に設けられるフレーム３は、底面近くにキーボード用の引き台６０を滑動自在に設けてなるため、引き台６０上を液晶モニタ２の方向に引き出すことができる。
【００１７】
図５に開示するように、この考案のデスクトップ型コンピュータは３台のファンを設けてなる。該３台のファンは、ケース１内部の空気をすばやく流動させる。また、ケース１に液晶モニタ２を嵌設したパネル１１を設けてなるため、コードがさらに複雑になるが、上述の構造は、ホスト３１の位置を変更せず、フレーム３を設ける位置を変えるだけでよい。即ち、フレーム３が片側に偏って設けられ、且つ隣接する側面に通風孔が穿設されるため、ハードウェアなどを固定するために便利である。
【００１８】
この考案のパネル１１は、側面が垂直で、ケース１の長手方向の側面１０と滑動自在に接続することができるため、パネル１１を前後に移動させることができて、パネル１１をケース１に接続する場合に内部に設けられた線路が断線したり、外れたりし難い。
【００１９】
上述の構造によるこの考案のデスクトップ型コンピュータは、半分のコードがケース内部に設けられているため、コードが露出して美観を損ねることがなく、掃除がし易いため、不衛生であるという問題を改善した。よって、実用性が高く、設置空間を削減して、人に一体化するような感覚を与えて、必要な物を必要な時に取り出して利用することができるため、さらに広い作業空間を提供することができ、便利である。
【００２０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２１】
【図１】この考案のデスクトップ型コンピュータを示した斜視図である。
【図２】図１に開示するデスクトップ型コンピュータを示した分解図である。
【図３】図１に開示するデスクトップ型コンピュータのパネルとケースを側面から示した説明図である。
【図４】図１に開示するデスクトップ型コンピュータのパネルを含まない側面を示した説明図である。
【図５】図１に開示するデスクトップ型コンピュータのパネルを含まない状態を示した正面図である。
【図６】図１に開示するデスクトップ型コンピュータのケースを示した背面図である。
【符号の説明】
【００２２】
１          ケース
１０        側面
１１        パネル
１２        スピーカー
１３        スピーカー
１４        光ディスク機
１５        光ディスク機
１６        フロッピー（登録商標）ディスク機
１７        モデム用インターフェイス
１８        スイッチ用インタフェイス
１９        開口
２          液晶モニタ
３          フレーム
３０１      側面
３０２      側面
３０３      側面
３０４      送風口
３０５      ネット
３１        ホスト
３２        電源供給機
３３        ファン
３４        ファン
３５        ファン
３６        ハードディスク
３７        ハードディスク
３８        ハードディスク
３９        ハードディスク
４０        入出力コネクタ用インタフェイス
４１        コネクタ用インタフェイス
４２        コネクタ用インタフェイス
５          マウス
５０        マウス収納ポケット
６          キーボード
６０        引き台
【図１】
0003122059.tif 000003
【図２】
0003122059.tif 000004
【図３】
0003122059.tif 000005
【図４】
0003122059.tif 000006
【図５】
0003122059.tif 000007
【図６】
0003122059.tif 000008